(57)【要約】【課題】  タイムシフト機能と視聴者の有無や睡眠状態の検出技術、及び個人の認証技術とをうまく組み合わせることによって、視聴者が番組を見逃した場合の使い勝手の向上を図る。【解決手段】  制御部１８は、個人認証部２６によりカメラ部２５にて撮影された画像から一定時間以上顔画像が検出できない場合には、その時刻の録画位置を記録するとともに、タイムシフト機能を無効とした通常録画状態で録画再生装置４０による受信番組の録画を継続し、個人認証部２６によりカメラ部２５にて撮影された画像から再び顔画像が検出され、その顔画像の特徴に基づく認識結果が最初の人物と同じ人物であると判断された場合には、通常録画状態を継続しつつ、録画しておいた番組を前記録画位置に戻って再生する。【選択図】  図１
2006211061.tif 000002
【特許請求の範囲】
【請求項１】
番組の放送信号を受信して映像信号と音声信号を得る放送信号受信手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
受信放送信号を録画して保存する録画再生手段と、
視聴者が見ている番組を前記録画再生手段に録画するとともに、一定時間経過するごとに古い録画データから順に消去する簡易録画機能を有する録画再生制御手段とを備えた放送信号受信システムであって、
前記録画再生制御手段は、
前記顔画像検出手段により一定時間以上顔画像が検出できない場合には、その時点でシステムを通常モードから省電力モードとするとともに、その時刻の録画位置を記録して、前記簡易録画機能を無効とした通常録画状態で前記録画再生手段による受信番組の録画を継続し、前記顔画像検出手段により再び顔画像が検出され、前記認識手段による認識結果が最初の人物と同じ人物であると判断された場合には、その時点でシステムを省電力モードから通常モードに復帰させるとともに、通常録画状態を継続しつつ、録画しておいた番組を前記録画位置に戻って再生する一方、
前記簡易録画機能を無効とした通常録画状態において、前記顔画像検出手段により再び顔画像が検出され、前記認識手段による認識結果が最初の人物と異なる人物であると認識された場合には、自動録画中であることを視聴者に通知するとともに、その異なる人物による操作入力を無効とし、通常録画状態を継続しつつ、入力が無効であることの警告を画面に表示することを特徴とする放送信号受信システム。
【請求項２】
番組の放送信号を受信して映像信号と音声信号を得る放送信号受信手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
受信放送信号を録画して保存する録画再生手段と、
視聴者が見ている番組を前記録画再生手段に録画するとともに、一定時間経過するごとに古い録画データから順に消去する簡易録画機能を有する録画再生制御手段とを備えた放送信号受信システムであって、
前記録画再生制御手段は、前記顔画像検出手段により一定時間以上顔画像が検出できない場合には、その時刻の録画位置を記録するとともに、前記簡易録画機能を無効とした通常録画状態で前記録画再生手段による受信番組の録画を継続し、前記顔画像検出手段により再び顔画像が検出され、前記認識手段による認識結果が最初の人物と同じ人物であると判断された場合には、通常録画状態を継続しつつ、録画しておいた番組を前記録画位置に戻って再生することを特徴とする放送信号受信システム。
【請求項３】
前記録画再生制御手段は、前記顔画像検出手段による顔画像が一定時間以上検出できない場合には、その時点でシステムを通常モードから省電力モードとし、前記顔画像検出手段により顔画像が検出された場合には、その時点でシステムを省電力モードから通常モードに復帰させることを特徴とする請求項２に記載の放送信号受信システム。
【請求項４】
前記簡易録画機能を無効とした通常録画状態において、前記顔画像検出手段により再び顔画像が検出され、前記認識手段による認識結果が最初の人物と異なる人物であると認識された場合には、自動録画中であることを視聴者に通知する通知手段をさらに備えたことを特徴とする請求項２または請求項３に記載の放送信号受信システム。
【請求項５】
前記簡易録画機能を無効とした通常録画状態において、前記顔画像検出手段により再び顔画像が検出され、前記認識手段による認識結果が最初の人物と異なる人物であると認識された場合には、前記録画再生制御手段は、その異なる人物による操作入力を無効とし、通常録画状態を継続しつつ、入力が無効であることの警告を画面に表示することを特徴とする請求項２に記載の放送信号受信システム。
【請求項６】
前記放送信号受信手段を複数備えており、
前記簡易録画機能を無効とした通常録画状態において、前記顔画像検出手段により再び顔画像が検出され、前記認識手段による認識結果が最初の人物と異なる人物であると認識された場合には、前記録画再生制御手段は、通常録画状態を継続しつつ、他の放送信号受信手段を用いて前記異なる人物の選択した番組の放送信号を受信して視聴可能とすることを特徴とする請求項２ないし請求項４のいずれかに記載の放送信号受信システム。
【請求項７】
番組の放送信号を受信して映像信号と音声信号を得る放送信号受信手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
受信放送信号を録画して保存する録画再生手段と、
視聴者が見ている番組を前記録画再生手段に録画するとともに、一定時間経過するごとに古い録画データから順に消去する簡易録画機能を有する録画再生制御手段とを備えた放送信号受信システムであって、
前記撮像手段により撮影された視聴者の撮影画像から動的対象の有無を判断する動的対象判断手段をさらに備えており、
前記録画再生制御手段は、前記動的対象判断手段により動的対象有りと判断され、かつ、前記顔画像検出手段により顔画像が検出できないと判断された場合には、前記簡易録画機能を無効とした通常録画状態で前記録画再生手段による受信番組の録画を継続し、通常録画状態で録画中であることを視聴者に通知することを特徴とする放送信号受信システム。
【請求項８】
番組の放送信号を受信して映像信号と音声信号を得る放送信号受信手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
受信放送信号を録画して保存する録画再生手段と、
視聴者が見ている番組を前記録画再生手段に録画するとともに、一定時間経過するごとに古い録画データから順に消去する簡易録画機能を有する録画再生制御手段とを備えた放送信号受信システムであって、
前記顔画像検出手段により検出した顔画像から目の開閉状態を判別する開閉状態判別手段をさらに備えており、
前記録画再生制御手段は、前記開閉状態判別手段により所定時間以上目が閉じていると判断した場合には、その時刻の録画位置を記録するとともに、前記簡易録画機能を無効とした通常録画状態で前記録画再生手段による受信番組の録画を継続し、前記開閉状態判別手段により目が再び開いたと判断され、前記認識手段による認識結果が最初の人物と同じ人物であると判断された場合には、通常録画状態を継続しつつ、録画しておいた番組を前記録画位置に戻って再生することを特徴とする放送信号受信システム。
【請求項９】
前記録画再生制御手段は、前記開閉状態判別手段により所定時間以上目が閉じていると判断した場合には、その時点でシステムを通常モードから省電力モードとし、前記開閉状態判別手段により目が再び開いたと判断した場合には、その時点でシステムを省電力モードから通常モードに復帰させることを特徴とする請求項８に記載の放送信号受信システム。
【請求項１０】
前記簡易録画機能を無効とした通常録画状態において、前記開閉状態判別手段により目が再び開いたと判断され、前記認識手段による認識結果が最初の人物と異なる人物であると判断された場合には、自動録画中であることを通知する通知手段をさらに備えたことを特徴とする請求項８または請求項９に記載の放送信号受信システム。
【請求項１１】
前記簡易録画機能を無効とした通常録画状態において、前記開閉状態判別手段により目が再び開いたと判断され、前記認識手段による認識結果が最初の人物と異なる人物であると判断された場合には、前記録画再生制御手段は、その異なる人物による操作入力を無効とし、通常録画状態を継続しつつ、入力が無効であることの警告を画面に表示することを特徴とする請求項８または請求項９に記載の放送信号受信システム。
【請求項１２】
前記放送信号受信手段を複数備えており、
前記簡易録画機能を無効とした通常録画状態において、前記開閉状態判別手段により目が再び開いたと判断され、前記認識手段による認識結果が最初の人物と異なる人物であると認識された場合には、前記録画再生制御手段は、通常録画状態を継続しつつ、他の放送信号受信手段を用いて前記異なる人物の選択した番組の放送信号を受信して視聴可能とすることを特徴とする請求項８ないし請求項１０のいずれかに記載の放送信号受信システム。
【請求項１３】
番組の放送信号を受信して映像信号と音声信号を得る放送信号受信手段と、
視聴者を撮影する撮像手段と、
前記撮像手段により撮影された視聴者の撮影画像から顔画像を検出する顔画像検出手段と、
前記顔画像検出手段により検出された視聴者の顔画像と予め登録されている個人の顔画像とを比較することによって視聴している個人を認証する認証手段と、
受信放送信号を録画して保存する録画再生手段と、
視聴者が見ている番組を前記録画再生手段に録画するとともに、一定時間経過するごとに古い録画データから順に消去する簡易録画機能を有する録画再生制御手段とを備えた放送信号受信システムであって、
前記顔画像検出手段により検出した顔画像から目の開閉状態を判別する開閉状態判別手段をさらに備えており、
前記録画再生制御手段は、前記顔画像検出手段により顔画像が検出されており、かつ、前記開閉状態判別手段により目の開閉状態が判別できない場合には、前記簡易録画機能を無効とした通常録画状態で前記録画再生手段による受信番組の録画を継続し、通常録画状態で録画中であることを視聴者に通知することを特徴とする放送信号受信システム。
【発明の詳細な説明】
【技術分野】
【０００１】
本発明は、放送中の番組を録画しながら視聴することのできる自動録画機能、いわゆるタイムシフト機能付きの放送信号受信システムに係り、より詳細には、視聴者の有無や睡眠状態を検出する技術を加味することによって、視聴者が番組を見逃した場合の使い勝手を向上した放送信号受信システムに関する。
【背景技術】
【０００２】
最近のテレビジョン受像機は、記録媒体として例えばＨＤを内蔵し、放送中の番組を録画しながら視聴することで、例えば見逃したシーンに遡って視聴を継続することのできるタイムシフト機能を備えたものがある。しかし、この機能は一時的な録画機能でしかなく、テレビ視聴中に例えば来客等の相手をしたり、居眠りなどによりある程度の時間、番組を見逃してしまった場合には、見逃した最初のシーンが既に消去されてしまっており、再生しても見逃した途中からしか視聴することができないといった問題があった。
【０００３】
一方、テレビ視聴時に中座したり、居眠りをした場合の解決策も提案されている。
【０００４】
例えば、赤外線カメラや画像認識処理部を備えた検知装置部により、視聴者がテレビジョン受像機の前からいなくなったことを検知すると、記録再生装置を動作させて記録を開始し、視聴者がテレビジョン受像機の前に戻ってきたことを検知すると、記録再生装置を停止し、その記録開始位置から再生するように構成されたテレビジョン受像機が提案されている（例えば、特許文献１参照）。
【０００５】
また、テレビジョン受像機に視聴者の覚醒度を検出する覚醒度検出手段を備え、この覚醒度検出手段により視聴者が居眠り状態であることを検出すると、記録手段を動作させるとともに、テレビジョン受像機の電源をオフするように構成された表示システムも提案されている（例えば、特許文献２参照）。この表示システムでは、覚醒度検出手段は、撮影手段で撮影している視聴者の顔面に赤外線を照射し、その網膜反射像を観察することで、居眠り状態か睡眠状態かを判断するようになっている。
【特許文献１】特開平８−１８９００号公報
【特許文献２】特開平９−３４４２４号公報
【発明の開示】
【発明が解決しようとする課題】
【０００６】
このように、テレビジョン受像機にカメラや画像処理装置を組み合わせて視聴者を認識し、その認識結果に応じてテレビジョン受像機の電源をオフしたり、タイムシフト機能を動作させる技術は既に提案されている。
【０００７】
一方、このようなテレビジョン受像機が設置される場所は通常一般家庭であり、一般家庭では、父、母、姉、弟といった複数の人物が同じテレビジョン受像機を同時にまたは個別に視聴することになる。従って、上記特許文献１，２のような機能を実現するためには、個人を特定して実施する必要があるが、上記特許文献１，２のものでは、個人の特定までは考慮されておらず、従って、個人ごとに適切な対応を取ることも全く考慮されていないといった問題があった。
【０００８】
そのため、例えば、お父さんがテレビジョン受像機を視聴中に何らかの用事でその場を離れた場合、上記特許文献１では、これを検知して、記録再生装置を動作させて記録を開始する一方、この状態で例えばお母さんがテレビジョン受像機の前に戻ってきたとき、記録再生装置を停止し、その記録開始位置から再生するため、お母さんにとっては全く意図しない突然の再生が開始されることになる。一方、その後に戻ってきたお父さんにとっては、すでに再生が開始されており、また、再生を開始してからお父さんが戻ってくるまでの間の放送番組は記録されないため、中途半端な再生となってしまうといった問題があった。
【０００９】
本発明はかかる問題点を解決すべく創案されたもので、その目的は、タイムシフト機能と視聴者の有無や睡眠状態の検出技術、及び個人の認証技術とをうまく組み合わせることによって、視聴者が番組を見逃した場合の使い勝手の向上を図った放送信号受信システムを提供することにある。
【課題を解決するための手段】
【００１０】
本発明の放送信号受信システムは、番組の放送信号を受信して映像信号と音声信号を得る放送信号受信手段と、視聴者を撮影する撮像手段と、前記撮像手段により撮影された視聴者の撮影画像から顔画像を検出する顔画像検出手段と、前記顔画像検出手段により検出された視聴者の顔画像と予め登録されている個人の顔画像とを比較することによって視聴している個人を認証する認証手段と、受信放送信号を録画して保存する録画再生手段と、視聴者が見ている番組を前記録画再生手段に録画するとともに、一定時間経過するごとに古い録画データから順に消去する簡易録画機能を有する録画再生制御手段とを備えた放送信号受信システムであって、前記録画再生制御手段は、前記顔画像検出手段により一定時間以上顔画像が検出できない場合には、その時刻の録画位置を記録するとともに、前記簡易録画機能を無効とした通常録画状態で前記録画再生手段による受信番組の録画を継続し、前記顔画像検出手段により再び顔画像が検出され、前記認識手段による認識結果が最初の人物と同じ人物であると判断された場合には、通常録画状態を継続しつつ、録画しておいた番組を前記録画位置に戻って再生することを特徴とする。
【００１１】
本発明によれば、一定時間以上顔画像が検出できない場合には、その時刻の録画位置を記録するとともに、通常録画状態で受信番組の録画を継続し、再び顔画像が検出され、かつ、認識手段による認識結果が最初の人物と同じ人物であると判断された場合にのみ、録画しておいた番組を録画位置に戻って再生するようになっている。つまり、最初の人物と戻ってきた人物とが同じ人物である場合にのみ、録画しておいた番組を録画位置に戻って再生するため、別人が戻ってきても、誤って再生することがない。
【００１２】
この場合、前記録画再生制御手段は、前記顔画像検出手段による顔画像が一定時間以上検出できない場合には、その時点でシステムを通常モードから省電力モードとし、前記顔画像検出手段により顔画像が検出された場合には、その時点でシステムを省電力モードから通常モードに復帰させるように構成してもよい。これにより、無駄な電力の消費を抑えることができる。
【００１３】
また、本発明によれば、前記簡易録画機能を無効とした通常録画状態において、前記顔画像検出手段により再び顔画像が検出され、前記認識手段による認識結果が最初の人物と異なる人物であると認識された場合には、自動録画中であることを視聴者に通知する通知手段をさらに備えた構成としてもよい。このような構成とすることにより、別人による不用意な操作、例えば自動録画の停止等の操作を未然に防止することが可能となる。
【００１４】
また、本発明によれば、前記簡易録画機能を無効とした通常録画状態において、前記顔画像検出手段により再び顔画像が検出され、前記認識手段による認識結果が最初の人物と異なる人物であると認識された場合には、前記録画再生制御手段は、その異なる人物による操作入力を無効とし、通常録画状態を継続しつつ、入力が無効であることの警告を画面に表示するように構成してもよい。このような構成とすることにより、別人による不用意な操作、例えば自動録画の停止等の操作を確実に防止することが可能となる。
【００１５】
また、本発明によれば、前記放送信号受信手段を複数備えており、前記簡易録画機能を無効とした通常録画状態において、前記顔画像検出手段により再び顔画像が検出され、前記認識手段による認識結果が最初の人物と異なる人物であると認識された場合には、前記録画再生制御手段は、通常録画状態を継続しつつ、他の放送信号受信手段を用いて前記異なる人物の選択した番組の放送信号を受信して視聴可能とするように構成してもよい。このように、放送信号受信手段を複数備えることで、テレビジョン受像機を視聴する複数の人物に対して、本発明の録画再生制御を個別に行うことができる。例えば、お父さんに対しては上記録画再生制御を行い、お母さんに対しては上記録画再生制御を維持しつつ、テレビジョン受像機の視聴のみを可能とするといった個別の対応をとることができる。
【００１６】
また、本発明の放送信号受信システムは、番組の放送信号を受信して映像信号と音声信号を得る放送信号受信手段と、視聴者を撮影する撮像手段と、前記撮像手段により撮影された視聴者の撮影画像から顔画像を検出する顔画像検出手段と、前記顔画像検出手段により検出された視聴者の顔画像と予め登録されている個人の顔画像とを比較することによって視聴している個人を認証する認証手段と、受信放送信号を録画して保存する録画再生手段と、視聴者が見ている番組を前記録画再生手段に録画するとともに、一定時間経過するごとに古い録画データから順に消去する簡易録画機能を有する録画再生制御手段とを備えた放送信号受信システムであって、前記撮像手段により撮影された視聴者の撮影画像から動的対象の有無を判断する動的対象判断手段をさらに備えており、前記録画再生制御手段は、前記動的対象判断手段により動的対象有りと判断され、かつ、前記顔画像検出手段により顔画像が検出できないと判断された場合には、前記簡易録画機能を無効とした通常録画状態で前記録画再生手段による受信番組の録画を継続し、通常録画状態で録画中であることを視聴者に通知することを特徴とする。
【００１７】
本発明によれば、視聴者はテレビジョン受像機の前に居るものの、何かの用事をしているために、テレビジョン受像機を常に直視している状態ではない状況を、撮影画像から判断した場合には、省電力モードとはしないで（つまり、テレビを付けたままの状態で）、簡易録画機能（タイムシフト機能）を無効とした通常録画状態で録画再生手段による受信番組の録画を継続するように構成している。この場合、通常録画状態で録画中であることを画面に表示すれば、これを見た視聴者は、そのまま録画を継続するか否かを判断することができ、通常録画が不要である場合には、これを解除することで本来の簡易録画機能（タイムシフト機能）に戻すことができる。
【００１８】
また、本発明の放送信号受信システムは、番組の放送信号を受信して映像信号と音声信号を得る放送信号受信手段と、視聴者を撮影する撮像手段と、前記撮像手段により撮影された視聴者の撮影画像から顔画像を検出する顔画像検出手段と、前記顔画像検出手段により検出された視聴者の顔画像と予め登録されている個人の顔画像とを比較することによって視聴している個人を認証する認証手段と、受信放送信号を録画して保存する録画再生手段と、視聴者が見ている番組を前記録画再生手段に録画するとともに、一定時間経過するごとに古い録画データから順に消去する簡易録画機能を有する録画再生制御手段とを備えた放送信号受信システムであって、前記顔画像検出手段により検出した顔画像から目の開閉状態を判別する開閉状態判別手段をさらに備えており、前記録画再生制御手段は、前記開閉状態判別手段により所定時間以上目が閉じていると判断した場合には、その時刻の録画位置を記録するとともに、前記簡易録画機能を無効とした通常録画状態で前記録画再生手段による受信番組の録画を継続し、前記開閉状態判別手段により目が再び開いたと判断され、前記認識手段による認識結果が最初の人物と同じ人物であると判断された場合には、通常録画状態を継続しつつ、録画しておいた番組を前記録画位置に戻って再生することを特徴とする。
【００１９】
本発明によれば、所定時間以上目が閉じていると判断した場合には、その時刻の録画位置を記録するとともに、通常録画状態で受信番組の録画を継続し、目が再び開いたと判断され、かつ、認識手段による認識結果が最初の人物と同じ人物であると判断された場合にのみ、録画しておいた番組を録画位置に戻って再生するようになっている。つまり、視聴者が居眠りをしている間、番組を録画し続け、視聴者が居眠りから覚めたときには、録画しておいた番組を録画位置に戻って再生するため、視聴者は、居眠りしていた間に見逃したシーンを追っかけ再生によって視聴することができる。
【００２０】
この場合、前記録画再生制御手段は、前記開閉状態判別手段により所定時間以上目が閉じていると判断した場合には、その時点でシステムを通常モードから省電力モードとし、前記開閉状態判別手段により目が再び開いたと判断した場合には、その時点でシステムを省電力モードから通常モードに復帰させるように構成してもよい。これにより、無駄な電力の消費を抑えることができる。
【００２１】
また、本発明によれば、前記簡易録画機能を無効とした通常録画状態において、前記開閉状態判別手段により目が再び開いたと判断され、前記認識手段による認識結果が最初の人物と異なる人物であると判断された場合には、自動録画中であることを通知する通知手段をさらに備えた構成としてもよい。このような構成とすることにより、別人による不用意な操作、例えば自動録画の停止等の操作を未然に防止することが可能となる。例えば、最初の視聴者が横になる等して完全に寝入ってしまい、そこへ別の視聴者が来た場合には、このような状況が起こり得るが、本発明のようにすれば、この別の視聴者による不用意な操作を未然に防止することができる。
【００２２】
また、本発明によれば、前記簡易録画機能を無効とした通常録画状態において、前記開閉状態判別手段により目が再び開いたと判断され、前記認識手段による認識結果が最初の人物と異なる人物であると判断された場合には、前記録画再生制御手段は、その異なる人物による操作入力を無効とし、通常録画状態を継続しつつ、入力が無効であることの警告を画面に表示するように構成してもよい。このような構成とすることにより、別人による不用意な操作、例えば自動録画の停止等の操作を確実に防止することが可能となる。
【００２３】
また、本発明によれば、前記放送信号受信手段を複数備えており、前記簡易録画機能を無効とした通常録画状態において、前記開閉状態判別手段により目が再び開いたと判断され、前記認識手段による認識結果が最初の人物と異なる人物であると認識された場合には、前記録画再生制御手段は、通常録画状態を継続しつつ、他の放送信号受信手段を用いて前記異なる人物の選択した番組の放送信号を受信して視聴可能とするように構成してもよい。このように、放送信号受信手段を複数備えることで、テレビジョン受像機を視聴する複数の人物に対して、本発明の録画再生制御を個別に行うことができる。例えば、お父さんに対しては上記録画再生制御を行い、お母さんに対しては上記録画再生制御を維持しつつ、テレビジョン受像機の視聴のみを可能とするといった個別の対応をとることができる。
【００２４】
また、本発明の放送信号受信システムは、番組の放送信号を受信して映像信号と音声信号を得る放送信号受信手段と、視聴者を撮影する撮像手段と、前記撮像手段により撮影された視聴者の撮影画像から顔画像を検出する顔画像検出手段と、前記顔画像検出手段により検出された視聴者の顔画像と予め登録されている個人の顔画像とを比較することによって視聴している個人を認証する認証手段と、受信放送信号を録画して保存する録画再生手段と、視聴者が見ている番組を前記録画再生手段に録画するとともに、一定時間経過するごとに古い録画データから順に消去する簡易録画機能を有する録画再生制御手段とを備えた放送信号受信システムであって、前記顔画像検出手段により検出した顔画像から目の開閉状態を判別する開閉状態判別手段をさらに備えており、前記録画再生制御手段は、前記顔画像検出手段により顔画像が検出されており、かつ、前記開閉状態判別手段により目の開閉状態が判別できない場合には、前記簡易録画機能を無効とした通常録画状態で前記録画再生手段による受信番組の録画を継続し、通常録画状態で録画中であることを視聴者に通知することを特徴とする。
【００２５】
本発明によれば、視聴者はテレビジョン受像機の前に居るものの、何かの用事をしているために、テレビジョン受像機を常に直視している状態ではない状況を、撮影画像から判断した場合には、省電力モードとはしないで（つまり、テレビを付けたままの状態で）、簡易録画機能（タイムシフト機能）を無効とした通常録画状態で録画再生手段による受信番組の録画を継続するように構成している。この場合、通常録画状態で録画中であることを画面に表示すれば、これを見た視聴者は、そのまま録画を継続するか否かを判断することができ、通常録画が不要である場合には、これを解除することで本来の簡易録画機能（タイムシフト機能）に戻すことができる。
【発明の効果】
【００２６】
本発明によれば、一定時間以上顔画像が検出できない場合、または所定時間以上目を閉じていると判断した場合には、その時刻の録画位置を記録するとともに、通常録画状態で受信番組の録画を継続し、再び顔画像が検出され（、または再び目を開いていると判断され）、かつ、認識手段による認識結果が最初の人物と同じ人物であると判断された場合にのみ、録画しておいた番組を録画位置に戻って再生するようになっている。つまり、顔の認識または目の開閉状態の認識により自動で録画状態に入るため、タイムシフト機能のような一時的な録画ではなく、視聴者が見逃した部分を確実に録画しておくことができる。また、最初の人物と戻ってきた人物とが同じ人物である場合にのみ、録画しておいた番組を録画位置に戻って再生するため、別の人物が戻ってきても、誤って再生することがない。
【００２７】
また、本発明によれば、簡易録画機能を無効とした通常録画状態において、顔画像検出手段により再び顔画像が検出されまたは再び目を開いていると判断され、かつ、認識手段による認識結果が最初の人物と異なる人物であると認識された場合には、自動録画中であることを視聴者に通知するように構成したので、別人による不用意な操作、例えば自動録画の停止等の操作を未然に防止することができる。
【００２８】
また、本発明によれば、簡易録画機能を無効とした通常録画状態において、顔画像検出手段により再び顔画像が検出されまたは再び目を開いていると判断され、かつ、認識手段による認識結果が最初の人物と異なる人物であると認識された場合には、録画再生制御手段は、その異なる人物による操作入力を無効とし、通常録画状態を継続しつつ、入力が無効であることの警告を画面に表示するように構成したので、別人による不用意な操作、例えば自動録画の停止等の操作を確実に防止することができる。
【００２９】
また、本発明によれば、放送信号受信手段を複数備えており、簡易録画機能を無効とした通常録画状態において、顔画像検出手段により再び顔画像が検出されまたは再び目を開いていると判断され、かつ、認識手段による認識結果が最初の人物と異なる人物であると認識された場合には、録画再生制御手段は、通常録画状態を継続しつつ、他の放送信号受信手段を用いて異なる人物の選択した番組の放送信号を受信して視聴可能とするように構成したので、テレビジョン受像機を視聴する複数の人物に対して、本発明の録画再生制御と視聴のみの許可とを個別かつ同時に対応することができる。
【００３０】
また、本発明によれば、視聴者がテレビジョン受像機の前に居るものの、何かの用事をしているために、テレビジョン受像機を常に直視している状態ではない状況を、撮影画像から判断した場合には、省電力モードとはしないで（つまり、テレビを付けたままの状態で）、簡易録画機能（タイムシフト機能）を無効とした通常録画状態で録画再生手段による受信番組の録画を継続するように構成したので、視聴者がテレビジョン受像機を視聴しているか否かを明確には判断できない状況、すなわち、視聴者が見逃している可能性のある状況に対しても確実に対応することができる。
【発明を実施するための最良の形態】
【００３１】
以下、本発明の実施の形態について、図面を参照して説明する。
【００３２】
＜実施形態１＞
図１は、本発明の実施形態１に係る放送信号受信システムの全体構成を示す機能ブロック図である。
【００３３】
この放送信号受信システム１Ａは、図示しないアンテナにて受信した放送信号を入力する入力端子１１ａを備えており、この入力端子１１ａにチューナ部１１が接続されている。チューナ部１１の出力は、デジタルの映像信号をアナログの映像信号に変換する映像デコーダ１２に接続されているとともに、デジタルの音声信号をアナログの音声信号に変換する音声デコーダ１３に接続されている。また、映像デコーダ１２の出力は、ＯＳＤ（オンスクリーンディスプレイ）回路１４を介してＴＶモニタ１５の映像入力端子１５ａに接続されている。また、音声デコーダ１３の出力は、ＴＶモニタ１５の音声入力端子１５ｂに接続されている。
【００３４】
また、チューナ部１１の出力は、受信した放送信号を例えばハードディスクレコーダまたはＤＶＤレコーダ等の録画再生装置４０に接続されており、この録画再生装置４０は、後述する制御部１８に接続されている。
【００３５】
さらに、チューナ部１１の出力は、受信した放送信号に含まれている最新の電子番組ガイド（ＥＰＧ）データを一時的に蓄積するＥＰＧデータ蓄積部（ＲＡＭやＥＥＰＲＯＭ等）１６に接続されている。
【００３６】
制御部１８は、図示は省略しているが、ＣＰＵ、ＲＯＭ、ＲＡＭ等により構成されており、チューナ部１１、映像デコーダ１２、音声デコーダ１３及びＯＳＤ回路１４をそれぞれ制御するようになっている。また、制御部１８には、ＥＰＧデータ蓄積部１６に蓄積されているＥＰＧデータを検索するデータ検索部１９が双方向に接続されており、制御部１８は、適宜のタイミングでデータ検索部１９を制御し、ＥＰＧデータ蓄積部１６に蓄積されているＥＰＧデータの検索を行うようになっている。
【００３７】
また、制御部１８には、各種キー操作信号を制御部１８に入力するキー入力部２１が接続されており、このキー入力部２１には、リモコン２３からのキー操作信号を受信する受信部２２の出力が接続されている。すなわち、キー入力部２１は、装置本体の前面パネルに設けられている各種キー（ボタン等）の操作信号を制御部１８に入力する他、受信部２２で受信されたリモコン２３からのキー操作信号も制御部１８に入力するようになっている。また、制御部１８には、現在時刻を計時する時計部２８や、後述する各種時間を計測するタイマー回路部２９が接続されている。
【００３８】
また、装置本体には、視聴者を撮影するための撮像部であるカメラ部（ＣＣＤカメラ部）２５が設けられている。このカメラ部２５の出力は、撮影画像から顔画像を検出し、この検出された顔画像に基づいて個人を認証する個人認証部２６に接続されており、この個人認証部２６での認証結果が制御部１８に入力されるようになっている。また、個人認証部２６は、検出した顔画像に基づいて目の開閉状態を判別する機能も備えている。
【００３９】
上記構成において、個人認証部２６には、家族全員の身体的特徴（本実施形態１では、顔の特徴）を示す情報が図示しない内部メモリに予め保存されている。この保存方法としては、例えばリモコン２３の図示しないメニューボタンを操作して認識情報の登録モードを選択する。認識情報登録モードとは、個人認証部２６により認識された被写体の特徴情報を予めメモリ部に保存する処理を実施するモードのことである。
【００４０】
具体的に説明すると、例えば子供の認識データを作成する場合、その子供の顔を、カメラ部２５から指定された距離だけ離れて撮影する。個人認証部２６は、この撮影した顔画像を基に子供認識データを作成する。画像認識技術は従来周知の技術であるので、ここでは詳細な説明を省略する。この子供認識データ（特徴データ）は、内部メモリに保存される。個人認証部２６では、以後、この内部メモリに保存されている認証データに基づいて特定の個人を認証する。
【００４１】
本実施形態１の放送信号受信システムは、視聴者が見ている番組を録画再生装置４０に録画するとともに、一定時間（例えば、３０分等）経過するごとに古い録画データから順に消去する簡易録画機能（いわゆる、タイムシフト機能）を備えており、制御部１８がこのタイムシフト機能を実行するようになっている。
【００４２】
また、制御部１８は、このようなタイムシフト機能と、個人認証部２６による個人認証技術、及び視聴者の有無や睡眠状態の有無等の検知技術とをうまく組み合わせることによって、視聴者の状態に応じた番組の自動録画再生処理を実施するようになっている。
【００４３】
以下、制御部１８による自動録画再生処理について具体的に実施例を挙げて説明する。
【実施例１】
【００４４】
図２及び図３は、本実施例１の自動録画再生処理を示すフローチャートである。本実施例１は、視聴者がテレビジョン受像機の前から一旦中座し、再び戻ってきた場合の実施例である。
【００４５】
例えば、リモコン２３によってテレビ電源がオンされると（ステップＳ１でＹｅｓと判断さると）、制御部１８は、タイムシフト機能による録画を開始して（ステップＳ２）、受信チャンネルの番組をＴＶモニタ１５の画面に表示するとともに、カメラ部２５を制御して視聴者の撮影を開始する（ステップＳ３）。
【００４６】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ４）。この後、個人認証部２６は、テレビ電源がオンされている間中、例えば１〜２秒ごとに、カメラ部２５による撮影画像から顔画像が検出できたか否かを判断し（ステップＳ５）、顔画像が検出できた場合（ステップＳ５でＹｅｓと判断された場合）には、顔画像検出信号を制御部１８に出力するとともに（ステップＳ６）、その顔画像と内部メモリに保存した特定の人物の顔画像との特徴量を比較することによって、現在視聴している人物が同じ人物であるか否かを常に監視し（ステップＳ７）、同じ人物である場合には、ステップＳ２に戻って処理を繰り返す。
【００４７】
一方、ステップＳ５で顔画像が検出できなかった場合（Ｎｏと判断された場合）には、顔画像未検出信号を制御部１８に出力する（ステップＳ８）。
【００４８】
制御部１８は、個人認証部２６からの信号を常に監視している。そして、個人認証部２６から顔画像未検出信号を受信すると、タイマー回路部２９を起動して一定時間（例えば５秒等）の計測を開始するとともに（ステップＳ９）、個人認証部２６から顔画像検出信号を受信したか否かを監視する（ステップＳ１０）。その結果、一定時間経過前に顔画像検出信号を受信した場合（ステップＳ９でＮｏ、ステップＳ１０でＹｅｓと判断された場合）には、ステップＳ７へと動作を進める。
【００４９】
一方、一定時間経過しても顔画像検出信号を受信しない場合（ステップＳ９でＹｅｓと判断された場合）には、視聴者がテレビジョン受像機の前にいないと判断し、テレビジョン受像機を省電力モード（ＴＶモニタ１５の表示をオフとし、カメラ部２５や個人認証部２６、受信部２２等は動作状態とする待機モード）に切り替えるとともに（ステップＳ１１）、その時刻の録画位置を内部メモリに記録して（ステップＳ１２）、タイムシフト機能を無効とした通常録画状態で録画再生装置４０による受信番組の録画を継続する（ステップＳ１３）。
【００５０】
この状態において、制御部１８は、個人認証部２６から顔画像検出信号を受信したか否かを常に監視している（ステップＳ１４）。そして、顔画像検出信号を受信した場合（ステップＳ１４でＹｅｓと判断した場合）には、次に、カメラ部２５で撮影された顔画像の特徴量と内部メモリに保存した特定の人物の顔画像との特徴量を比較することによって、戻ってきた人物が最初の人物と同じ人物であるか否かを判断し（ステップＳ１５）、同じ人物であると判断した場合（ステップＳ１５でＹｅｓと判断した場合）には、その時点でシステムを省電力モードから通常モードに復帰させ（ステップＳ１６）、録画状態を継続しつつ、録画しておいた番組を、記録しておいた録画位置に戻って再生する（ステップＳ１７）。ただし、記録しておいた録画位置より少し前に戻って再生してもよい。そして、番組終了まで同時録画再生を行い（ステップＳ１８）、再生終了後はステップＳ２に戻って処理を繰り返す。
【００５１】
一方、ステップＳ１５でＮｏと判断された場合、すなわち、戻ってきた人物が最初の人物と異なる場合には、自動録画中であることを視聴者に通知して（ステップＳ１９）、ステップＳ１５に戻る。このときの通知方法としては、ＴＶモニタ１５の画面に表示する方法が最も一般的であるが、この他にも音声による通知や、ＬＥＤ等の表示部の点灯または点滅等による通知でもよく、また、これらを組み合わせて通知してもよい。
【００５２】
なお、上記実施例１では、ステップＳ１５で、戻ってきた人物が最初の人物と同じ人物であると判断した場合には、記録しておいた録画位置に戻って自動的に再生するようにしているが、自動再生を行う前に、自動再生を行うか否かを視聴者に選択させるようにしてもよい。すなわち、テレビジョン受像機の前を離れた時間が比較的短時間である場合には、視聴者によってはそこを飛ばしてそのまま視聴してもかまわないと考える場合もある。従って、視聴者が戻ってきたとき、見逃したシーンを遡って見るか否かを視聴者に選択させることで、視聴者の意思に則したより使い勝手のよいシステムとすることができる。
【００５３】
また、上記実施例１では、戻ってきた人物が最初の人物と異なる場合（ステップＳ１５でＮｏと判断された場合）には、自動録画中であることを視聴者に通知する構成としているが、通知だけでは別の視聴者が誤って電源操作や録画操作を行ってしまう可能性もある。従って、ステップＳ１５でＮｏと判断された場合には、制御部１８は、その異なる人物による操作入力を無効として、録画状態を継続するように構成してもよい。この場合、入力が無効であることの警告をＴＶモニタ１５の画面に表示するようにしてもよい。これにより、別人による不用意な操作、例えば自動録画の停止等の操作を確実に防止することが可能となる。
【００５４】
さらに、上記実施例１では、ステップＳ１３において、タイムシフト機能を無効とした通常録画状態で録画再生装置４０による受信番組の録画を継続しているが、このとき、録画している番組情報をＥＰＧデータ蓄積部１６に蓄積されているＥＰＧデータから取得し、ステップＳ１４でＹｅｓと判断される前に、録画している番組の終了時刻になった場合には、録画を停止して電源をオフするようにしてもよい。そして、視聴者が再びテレビジョン受像機の電源を入れたとき、録画しておいた番組が未視聴状態であれば、その旨を視聴者に通知（ＴＶモニタ１５の画面にメッセージを表示する等）し、録画番組を視聴するかどうかを選択させるようにしてもよい。
【実施例２】
【００５５】
図４及び図５は、本実施例２の自動録画再生処理を示すフローチャートである。本実施例２は、視聴者がテレビジョン受像機の前で居眠りをした場合の実施例である。
【００５６】
例えば、リモコン２３によってテレビ電源がオンされると（ステップＳ３１でＹｅｓと判断さると）、制御部１８は、タイムシフト機能による録画を開始して（ステップＳ３２）、受信チャンネルの番組をＴＶモニタ１５の画面に表示するとともに、カメラ部２５を制御して視聴者の撮影を開始する（ステップＳ３３）。
【００５７】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ３４）。この後、個人認証部２６は、テレビ電源がオンされている間中、例えば１〜２秒ごとに、カメラ部２５による撮影画像から顔画像が検出できたか否かを判断し（ステップＳ３５）、顔画像が検出できた場合（ステップＳ３５でＹｅｓと判断された場合）には、顔画像検出信号を制御部１８に出力する一方（ステップＳ３６）、その顔画像と内部メモリに保存した特定の人物の顔画像との特徴量を比較することによって、現在視聴している人物が同じ人物であるか否かを常に監視するとともに（ステップＳ３７）、カメラ部２５により撮影された視聴者の顔画像から目の開閉状態を常に判別している（ステップＳ３８）。その結果、同じ人物であり（ステップＳ３７でＹｅｓ）、かつ、目を開けた状態（ステップＳ３８でＹｅｓ）である場合には、ステップＳ３２に戻って処理を繰り返す。
【００５８】
一方、ステップＳ３５で顔画像が検出できなかった場合（Ｎｏと判断された場合）には、顔画像未検出信号を制御部１８に出力する（ステップＳ３８）。なお、この顔画像未検出信号を受信したあとの制御部１８の処理は、上記実施例１の図２に示すステップＳ９以降の処理と同じであるため、ここでは以後の説明を省略する。
【００５９】
また、ステップＳ３８で目が閉じられていると判断した場合（Ｙｅｓと判断された場合）には、居眠り状態であることを示す居眠検出信号を制御部１８に出力する（ステップＳ４０）。
【００６０】
制御部１８は、個人認証部２６からの信号を常に監視している。そして、個人認証部２６から居眠検出信号を受信すると、タイマー回路部２９を起動して所定時間（例えば５秒等）の計測を開始するとともに（ステップＳ４１）、個人認証部２６から居眠検出信号を受信しているか否かを監視する（ステップＳ４２）。その結果、一定時間経過前に居眠検出信号を受信しなくなった場合（ステップＳ４１でＮｏ、ステップＳ４２でＹｅｓと判断された場合）には、ステップＳ３７へと動作を進める。
【００６１】
一方、一定時間経過しても居眠検出信号を受信している場合（ステップＳ４１でＹｅｓと判断された場合）には、視聴者がテレビジョン受像機の前で一定時間以上目を閉じている居眠り状態であると判断し、テレビジョン受像機を省電力モード（ＴＶモニタ１５の表示をオフとし、カメラ部２５や個人認証部２６、受信部２２等は動作状態とする待機モード）に切り替えるとともに（ステップＳ４３）、その時刻の録画位置を内部メモリに記録して（ステップＳ４４）、タイムシフト機能を無効とした通常録画状態で録画再生装置４０による受信番組の録画を継続する（ステップＳ４５）。
【００６２】
この状態において、制御部１８は、個人認証部２６から居眠検出信号を受信しているか否かを常に監視している（ステップＳ４６）。そして、居眠検出信号を受信しなくなった場合（ステップＳ４６でＹｅｓと判断した場合）には、視聴者が再び目を開いたと判断し、次に、カメラ部２５で撮影された顔画像の特徴量と内部メモリに保存した特定の人物の顔画像との特徴量を比較することによって、その人物が最初の人物と同じ人物であるか否かを判断し（ステップＳ４７）、同じ人物であると判断した場合（ステップＳ４７でＹｅｓと判断した場合）には、その時点でシステムを省電力モードから通常モードに復帰させ（ステップＳ４８）、録画状態を継続しつつ、録画しておいた番組を、記録しておいた録画位置に戻って再生する（ステップＳ４９）。ただし、記録しておいた録画位置より少し前に戻って再生してもよい。そして、番組終了まで同時録画再生を行い（ステップＳ５０）、再生終了後はステップＳ３２に戻って処理を繰り返す。
【００６３】
一方、ステップＳ４７でＮｏと判断された場合、すなわち、その人物が最初の人物と異なる場合には、自動録画中であることを視聴者に通知して（ステップＳ５１）、ステップＳ４７に戻る。このときの通知方法としては、ＴＶモニタ１５の画面に表示する方法が最も一般的であるが、この他にも音声による通知や、ＬＥＤ等の表示部の点灯または点滅等による通知でもよく、また、これらを組み合わせて通知してもよい。
【００６４】
なお、上記実施例２では、ステップＳ４７で、目を覚ました人物が最初の人物と同じ人物であると判断した場合には、記録しておいた録画位置に戻って自動的に再生するようにしているが、自動再生を行う前に、自動再生を行うか否かを視聴者に選択させるようにしてもよい。すなわち、テレビジョン受像機の前で眠ってしまった時間が比較的短時間である場合には、視聴者によってはそこを飛ばしてそのまま視聴してもかまわないと考える場合もある。従って、視聴者が居眠りから覚めたとき、見逃したシーンを遡って見るか否かを視聴者に選択させることで、視聴者の意思に則したより使い勝手のよいシステムとすることができる。
【００６５】
また、上記実施例２では、実際にはまず起こらないことであるが、居眠りから覚めた人物が最初の人物と異なる場合（ステップＳ４７でＮｏと判断された場合）には、自動録画中であることを視聴者に通知する構成としているが、通知だけでは別の視聴者が誤って電源操作や録画操作を行ってしまう可能性もある。従って、ステップＳ４７でＮｏと判断された場合には、制御部１８は、その異なる人物による操作入力を無効として、録画状態を継続するように構成してもよい。この場合、入力が無効であることの警告をＴＶモニタ１５の画面に表示するようにしてもよい。これにより、別人による不用意な操作、例えば自動録画の停止等の操作を確実に防止することが可能となる。
【００６６】
さらに、上記実施例２では、ステップＳ４５において、タイムシフト機能を無効とした通常録画状態で録画再生装置４０による受信番組の録画を継続しているが、このとき、録画している番組情報をＥＰＧデータ蓄積部１６に蓄積されているＥＰＧデータから取得し、ステップＳ４６でＹｅｓと判断される前に、録画している番組の終了時刻になった場合には、録画を停止して電源をオフするようにしてもよい。そして、視聴者が再びテレビジョン受像機の電源を入れたとき、録画しておいた番組が未視聴状態であれば、その旨を視聴者に通知（ＴＶモニタ１５の画面にメッセージを表示する等）し、録画番組を視聴するかどうかを選択させるようにしてもよい。
【実施例３】
【００６７】
図６及び図７は、本実施例３の自動録画再生処理を示すフローチャートである。本実施例３は、視聴者がテレビジョン受像機の前にいるものの、放送番組を本当に視聴しているかどうか判断できない場合（つまり、テレビを視聴しつつ別の作業等を行っているような場合）の実施例である。
【００６８】
リモコン２３によってテレビ電源がオンされると（ステップＳ６１でＹｅｓと判断さると）、制御部１８は、タイムシフト機能による録画を開始して（ステップＳ６２）、受信チャンネルの番組をＴＶモニタ１５の画面に表示するとともに、カメラ部２５を制御して視聴者の撮影を開始する（ステップＳ６３）。
【００６９】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ６４）。この後、個人認証部２６は、テレビ電源がオンされている間中、カメラ部２５による撮影画像から視聴者が検出できたか否かを判断し（ステップＳ６５）、視聴者が検出できた場合（ステップＳ６５でＹｅｓと判断された場合）には、視聴者検出信号を制御部１８に送信するとともに（ステップＳ６６）、次に、撮影画像から顔画像が検出できたか否かを判断する（ステップＳ６７）。そして、顔画像が検出できた場合（ステップＳ６７でＹｅｓと判断された場合）には、顔画像検出信号を制御部１８に出力するとともに（ステップＳ６８）、その顔画像と内部メモリに保存した特定の人物の顔画像との特徴量を比較することによって、現在視聴している人物が同じ人物であるか否かを常に監視し（ステップＳ６９）、同じ人物である場合には、ステップＳ６２に戻って処理を繰り返す。
【００７０】
制御部１８は、個人認証部２６からの信号を常に監視している。そして、ステップＳ６５で視聴者を検出できなかった場合（Ｎｏと判断された場合）には、視聴者未検出信号を制御部１８に出力する（ステップＳ７０）。なお、この視聴者未検出信号を受信した後の制御部１８の処理は、上記実施例１の図２に示すステップＳ９以降の処理と同じであるため、ここでは以後の説明を省略する。
【００７１】
また、制御部１８は、個人認証部２６から視聴者検出信号は受信しているものの、顔画像未検出信号を受信している場合、すなわち、視聴者は検出できているが、顔画像が検出できない場合（ステップＳ６５でＹｅｓ、ステップＳ６７でＮｏと判断された場合）には、タイマー回路部２９を起動して一定時間（例えば５秒等）の計測を開始するとともに（ステップＳ７１）、個人認証部２６から顔画像検出信号を受信したか否かを監視する（ステップＳ７２）。その結果、一定時間経過前に顔画像検出信号を受信した場合（ステップＳ７１でＮｏ、ステップＳ７２でＹｅｓと判断された場合）には、ステップＳ６９へと動作を進める。
【００７２】
一方、一定時間経過しても顔画像検出信号を受信しない場合（ステップＳ７１でＹｅｓと判断された場合）には、視聴者が放送番組を見ているかどうか分からないと判断し、その時刻の録画位置を内部メモリに記録して（ステップＳ７３）、タイムシフト機能を無効とした通常録画状態で録画再生装置４０による受信番組の録画を継続する（ステップＳ７４）。
【００７３】
この状態において、制御部１８は、個人認証部２６から顔画像検出信号を受信したか否かを常に監視している（ステップＳ７５）。そして、顔画像検出信号を受信した場合（ステップＳ７５でＹｅｓと判断した場合）には、次に、カメラ部２５で撮影された顔画像の特徴量と内部メモリに保存した特定の人物の顔画像との特徴量を比較することによって、再度検出した顔画像の人物が最初の人物と同じ人物であるか否かを判断し（ステップＳ７６）、同じ人物であると判断した場合（ステップＳ７６でＹｅｓと判断した場合）には、録画データを再生するか否かを視聴者に確認（例えば、ＴＶモニタ１５の画面に確認メッセージを表示して確認）する（ステップＳ７７）。これに対し、視聴者が、リモコン２３の再生ボタン等を操作した場合（ステップＳ７７でＹｅｓと判断された場合）には、録画しておいた番組を、記録しておいた録画位置に戻って再生する（ステップＳ７８）。ただし、記録しておいた録画位置より少し前に戻って再生してもよい。そして、番組終了まで同時録画再生を行い（ステップＳ７９）、再生終了後はステップＳ６２に戻って処理を繰り返す。一方、ステップＳ７７において、視聴者が別の操作を選択をした場合には、その選択操作に従うことになる（ステップＳ８１）。
【００７４】
一方、ステップＳ７６でＮｏと判断された場合、すなわち、再度顔画像が検出された人物が最初の人物と異なる場合には、自動録画中であることを視聴者に通知して（ステップＳ８０）、ステップＳ７６に戻る。このときの通知方法としては、ＴＶモニタ１５の画面に表示する方法が最も一般的であるが、この他にも音声による通知や、ＬＥＤ等の表示部の点灯または点滅等による通知でもよく、また、これらを組み合わせて通知してもよい。
【００７５】
なお、上記実施例３では、再度顔画像が検出された人物が最初の人物と異なる場合（ステップＳ７６でＮｏと判断された場合）には、自動録画中であることを視聴者に通知する構成としているが、通知だけでは別の視聴者が誤って電源操作や録画操作を行ってしまう可能性もある。従って、ステップＳ７６でＮｏと判断された場合には、制御部１８は、その異なる人物による操作入力を無効として、録画状態を継続するように構成してもよい。この場合、入力が無効であることの警告をＴＶモニタ１５の画面に表示するようにしてもよい。これにより、別人による不用意な操作、例えば自動録画の停止等の操作を確実に防止することが可能となる。
【００７６】
さらに、上記実施例３では、ステップＳ７４において、タイムシフト機能を無効とした通常録画状態で録画再生装置４０による受信番組の録画を継続しているが、このとき、録画している番組情報をＥＰＧデータ蓄積部１６に蓄積されているＥＰＧデータから取得し、ステップＳ７５でＹｅｓと判断される前に、録画している番組の終了時刻になった場合には、録画を停止して電源をオフするようにしてもよい。そして、視聴者が再びテレビジョン受像機の電源を入れたとき、録画しておいた番組が未視聴状態であれば、その旨を視聴者に通知（ＴＶモニタ１５の画面にメッセージを表示する等）し、録画番組を視聴するかどうかを選択させるようにしてもよい。
【実施例４】
【００７７】
図８及び図９は、本実施例４の自動録画再生処理を示すフローチャートである。本実施例４は、視聴者がテレビジョン受像機の前にいるものの、放送番組を本当に視聴しているかどうか判断できない場合（つまり、目を閉じているか否か判断できない場合）の実施例である。
【００７８】
リモコン２３によってテレビ電源がオンされると（ステップＳ９１でＹｅｓと判断さると）、制御部１８は、タイムシフト機能による録画を開始して（ステップＳ９２）、受信チャンネルの番組をＴＶモニタ１５の画面に表示するとともに、カメラ部２５を制御して視聴者の撮影を開始する（ステップＳ９３）。
【００７９】
個人認証部２６は、カメラ部２５により撮影された視聴者の顔画像の特徴量と、予め内部メモリに登録されている家族全員の顔画像の特徴量とを比較することによって視聴者を認証（特定）し、その認証結果（現在視聴中の特定の人物の顔画像の特徴量）を内部メモリに保存する（ステップＳ９４）。この後、個人認証部２６は、テレビ電源がオンされている間中、カメラ部２５による撮影画像から視聴者の顔画像が検出できたか否かを判断し（ステップＳ９５）、視聴者の顔画像が検出できた場合（ステップＳ９５でＹｅｓと判断された場合）には、顔画像検出信号を制御部１８に送信するとともに（ステップＳ９６）、次に、撮影画像から視聴者の目の開閉状態が検出できたか否かを判断する（ステップＳ９７）。そして、目の開閉状態が検出できた場合（ステップＳ９７でＹｅｓと判断された場合）には、開閉状態検出信号を制御部１８に出力するとともに（ステップＳ９８）、視聴者の顔画像と内部メモリに保存した特定の人物の顔画像との特徴量を比較することによって、現在視聴している人物が同じ人物であるか否かを常に監視し（ステップＳ９９）、同じ人物である場合には、ステップＳ９２に戻って処理を繰り返す。
【００８０】
制御部１８は、個人認証部２６からの信号を常に監視している。そして、ステップＳ９５で顔画像を検出できなかった場合（Ｎｏと判断された場合）には、顔画像未検出信号を制御部１８に出力する（ステップＳ１００）。なお、この顔画像未検出信号を受信した後の制御部１８の処理は、上記実施例１の図２に示すステップＳ９以降の処理と同じであるため、ここでは以後の説明を省略する。
【００８１】
また、制御部１８は、個人認証部２６から顔画像検出信号は受信しているものの、開閉状態未検出信号を受信している場合、すなわち、視聴者の顔画像は検出できているが、目の開閉状態が検出できない場合（ステップＳ９５でＹｅｓ、ステップＳ９７でＮｏと判断された場合）には、タイマー回路部２９を起動して一定時間（例えば５秒等）の計測を開始するとともに（ステップＳ１０１）、個人認証部２６から目の開閉状態検出信号を受信したか否かを監視する（ステップＳ１０２）。その結果、一定時間経過前に目の開閉状態検出信号を受信した場合（ステップＳ１０１でＮｏ、ステップＳ１０２でＹｅｓと判断された場合）には、ステップＳ９９へと動作を進める。
【００８２】
一方、一定時間経過しても目の開閉状態検出信号を受信しない場合（ステップＳ１０１でＹｅｓと判断された場合）には、視聴者が放送番組を見ているかどうか分からないと判断し、その時刻の録画位置を内部メモリに記録して（ステップＳ１０３）、タイムシフト機能を無効とした通常録画状態で録画再生装置４０による受信番組の録画を継続する（ステップＳ１０４）。
【００８３】
この状態において、制御部１８は、個人認証部２６から目の開閉状態検出信号を受信したか否かを常に監視している（ステップＳ１０５）。そして、目の開閉状態検出信号を受信した場合（ステップＳ１０５でＹｅｓと判断した場合）には、次に、カメラ部２５で撮影された顔画像の特徴量と内部メモリに保存した特定の人物の顔画像との特徴量を比較することによって、再度検出した顔画像（目の開閉状態も含めた顔画像）の人物が最初の人物と同じ人物であるか否かを判断し（ステップＳ１０６）、同じ人物であると判断した場合（ステップＳ１０６でＹｅｓと判断した場合）には、録画データを再生するか否かを視聴者に確認（例えば、ＴＶモニタ１５の画面に確認メッセージを表示して確認）する（ステップＳ１０７）。これに対し、視聴者が、リモコン２３の再生ボタン等を操作した場合（ステップＳ１０７でＹｅｓと判断された場合）には、録画しておいた番組を、記録しておいた録画位置に戻って再生する（ステップＳ１０８）。ただし、記録しておいた録画位置より少し前に戻って再生してもよい。そして、番組終了まで同時録画再生を行い（ステップＳ１０９）、再生終了後はステップＳ９２に戻って処理を繰り返す。一方、ステップＳ１０７において、視聴者が別の操作を選択をした場合には、その選択操作に従うことになる（ステップＳ１１１）。
【００８４】
一方、ステップＳ１０６でＮｏと判断された場合、すなわち、再度顔画像が検出された人物が最初の人物と異なる場合には、自動録画中であることを視聴者に通知して（ステップＳ１１０）、ステップＳ９６に戻る。このときの通知方法としては、ＴＶモニタ１５の画面に表示する方法が最も一般的であるが、この他にも音声による通知や、ＬＥＤ等の表示部の点灯または点滅等による通知でもよく、また、これらを組み合わせて通知してもよい。
【００８５】
なお、上記実施例４では、再度顔画像が検出された人物が最初の人物と異なる場合（ステップＳ１０６でＮｏと判断された場合）には、自動録画中であることを視聴者に通知する構成としているが、通知だけでは別の視聴者が誤って電源操作や録画操作を行ってしまう可能性もある。従って、ステップＳ１０６でＮｏと判断された場合には、制御部１８は、その異なる人物による操作入力を無効として、録画状態を継続するように構成してもよい。この場合、入力が無効であることの警告をＴＶモニタ１５の画面に表示するようにしてもよい。これにより、別人による不用意な操作、例えば自動録画の停止等の操作を確実に防止することが可能となる。
【００８６】
さらに、上記実施例４では、ステップＳ１０４において、タイムシフト機能を無効とした通常録画状態で録画再生装置４０による受信番組の録画を継続しているが、このとき、録画している番組情報をＥＰＧデータ蓄積部１６に蓄積されているＥＰＧデータから取得し、ステップＳ１０５でＹｅｓと判断される前に、録画している番組の終了時刻になった場合には、録画を停止して電源をオフするようにしてもよい。そして、視聴者が再びテレビジョン受像機の電源を入れたとき、録画しておいた番組が未視聴状態であれば、その旨を視聴者に通知（ＴＶモニタ１５の画面にメッセージを表示する等）し、録画番組を視聴するかどうかを選択させるようにしてもよい。
【００８７】
＜実施形態２＞
図１０は、本発明の実施形態２に係る放送信号受信システムの全体構成を示す機能ブロック図である。
【００８８】
本実施形態２の放送信号受信システム１Ｂと、図１に示す実施形態１の放送信号受信システム１Ａとの違いは、本実施形態２の放送信号受信システム１Ｂがチューナ部を複数（この例では、第１チューナ部１１１と第２チューナ部１１２の２台）備えており、この第１チューナ部１１１の出力と第２チューナ部１１２の出力とを切り替えて映像デコーダ１２及び音声デコーダ１３にそれぞれ出力するための出力切換部１１３が設けられている点である。その他の構成は、上記実施形態１の放送信号受信システム１Ａの構成と同じであるので、ここでは同ブロックに同符号を付すこととし、詳細な説明は省略する。
【００８９】
このように、チューナ部を複数台用意することによって、上記実施形態１に係る各実施例１〜４での処理をさらに発展させて、以下に示す実施例５〜８のように処理することが可能となる。
【実施例５】
【００９０】
本実施例５は、上記実施例１の変形実施例であり、図１１は、この実施例５の自動録画再生処理を示すフローチャートである。ただし、図１１は本実施例５の要部のみを示している。
【００９１】
すなわち、第１のチューナ部１１１で放送番組を受信中に、上記実施例１に示すように、視聴者が中座することによって、制御部１８がタイムシフト機能を無効とした通常の録画動作を実行している状態（図３のステップＳ１３の状態）において、制御部１８は、個人認証部２６から顔画像検出信号を受信したか否かを常に監視している（ステップＳ１４）。そして、顔画像検出信号を受信した場合（ステップＳ１４でＹｅｓと判断した場合）には、次に、カメラ部２５で撮影された顔画像の特徴量と内部メモリに保存した特定の人物の顔画像との特徴量を比較することによって、戻ってきた人物が最初の人物と同じ人物であるか否かを判断する（ステップＳ１５）。ここで、同じ人物であると判断した場合（ステップＳ１５でＹｅｓと判断した場合）のその後の処理は、実施例１のステップＳ１６以降の処理と同じである。
【００９２】
一方、ステップＳ１５でＮｏと判断された場合、すなわち、戻ってきた人物が最初の人物と異なる場合には、制御部１８は、自動録画中であることを視聴者に通知し（ステップＳ１９−１）、それまでの録画状態（すなわち、第１チューナ部１１１で受信している放送信号の録画状態）はそのまま継続する。この後、制御部１８は、出力切換部１１３を第２チューナ部１１２に切り替えるとともに、テレビの視聴が可能であることを、戻ってきた人物（最初の人物とは異なる人物）に通知する（ステップＳ１９−２）。これにより、本発明に係る自動録画が実行されている場合であっても、最初の人物と異なる人物もテレビを視聴することが可能となる。また、最初の人物が戻ってきた場合でも、録画はそのまま継続されているので、以後、手動操作等により、最初の人物も見逃したシーンからの視聴が可能となる。
【実施例６】
【００９３】
本実施例６は、上記実施例２の変形実施例であり、図１２は、この実施例６の自動録画再生処理を示すフローチャートである。ただし、図１２は本実施例６の要部のみを示している。
【００９４】
すなわち、第１のチューナ部１１１で放送番組を受信中に、上記実施例１に示すように、視聴者が居眠りをすることによって、制御部１８がタイムシフト機能を無効とした通常の録画動作を実行している状態（図５のステップＳ４５の状態）において、制御部１８は、個人認証部２６から居眠検出信号を受信しているか否かを常に監視している（ステップＳ４６）。そして、居眠検出信号を受信しなくなった場合（ステップＳ４６でＹｅｓと判断した場合）には、次に、カメラ部２５で撮影された顔画像の特徴量と内部メモリに保存した特定の人物の顔画像との特徴量を比較することによって、戻ってきた人物が最初の人物と同じ人物であるか否かを判断する（ステップＳ４７）。ここで、同じ人物であると判断した場合（ステップＳ４７でＹｅｓと判断した場合）のその後の処理は、実施例２のステップＳ４８以降の処理と同じである。
【００９５】
一方、ステップＳ４７でＮｏと判断された場合、すなわち、戻ってきた人物が最初の人物と異なる場合には、制御部１８は、自動録画中であることを視聴者に通知し（ステップＳ５１−１）、それまでの録画状態（すなわち、第１チューナ部１１１で受信している放送信号の録画状態）はそのまま継続する。この後、制御部１８は、出力切換部１１３を第２チューナ部１１２に切り替えるとともに、テレビの視聴が可能であることを、戻ってきた人物（最初の人物とは異なる人物）に通知する（ステップＳ５１−２）。これにより、本発明に係る自動録画が実行されている場合であっても、最初の人物と異なる人物もテレビを視聴することが可能となる。また、最初の人物が目を覚ました場合でも、録画はそのまま継続されているので、以後、手動操作等により、最初の人物も見逃したシーンからの視聴が可能となる。
【実施例７】
【００９６】
本実施例７は、上記実施例３の変形実施例であり、図１３は、この実施例７の自動録画再生処理を示すフローチャートである。ただし、図１３は本実施例７の要部のみを示している。
【００９７】
すなわち、第１のチューナ部１１１で放送番組を受信中に、上記実施例３に示すように、視聴者がテレビジョン受像機の前で別の作業をすることによって、制御部１８がタイムシフト機能を無効とした通常の録画動作を実行している状態（図７のステップＳ７３の状態）において、制御部１８は、個人認証部２６から顔画像検出信号を受信したか否かを常に監視している（ステップＳ７５）。そして、顔画像検出信号を受信した場合（ステップＳ７５でＹｅｓと判断した場合）には、次に、カメラ部２５で撮影された顔画像の特徴量と内部メモリに保存した特定の人物の顔画像との特徴量を比較することによって、戻ってきた人物が最初の人物と同じ人物であるか否かを判断する（ステップＳ７６）。ここで、同じ人物であると判断した場合（ステップＳ７６でＹｅｓと判断した場合）のその後の処理は、実施例３のステップＳ７７以降の処理と同じである。
【００９８】
一方、ステップＳ７６でＮｏと判断された場合、すなわち、戻ってきた人物が最初の人物と異なる場合には、制御部１８は、自動録画中であることを視聴者に通知し（ステップＳ８０−１）、それまでの録画状態（すなわち、第１チューナ部１１１で受信している放送信号の録画状態）はそのまま継続する。この後、制御部１８は、出力切換部１１３を第２チューナ部１１２に切り替えるとともに、テレビの視聴が可能であることを、戻ってきた人物（最初の人物とは異なる人物）に通知する（ステップＳ８０−２）。これにより、本発明に係る自動録画が実行されている場合であっても、最初の人物と異なる人物もテレビを視聴することが可能となる。また、最初の人物が戻ってきた場合でも、録画はそのまま継続されているので、以後、手動操作等により、最初の人物も見逃したシーンからの視聴が可能となる。
【実施例８】
【００９９】
本実施例８は、上記実施例４の変形実施例であり、図１４は、この実施例８の自動録画再生処理を示すフローチャートである。ただし、図１４は本実施例８の要部のみを示している。
【０１００】
すなわち、第１のチューナ部１１１で放送番組を受信中に、上記実施例１に示すように、視聴者が居眠りをすることによって、制御部１８がタイムシフト機能を無効とした通常の録画動作を実行している状態（図９のステップＳ１０４の状態）において、制御部１８は、個人認証部２６から目の開閉状態検出信号を受信しているか否かを常に監視している（ステップＳ１０５）。そして、目の開閉状態検出信号を受信しなくなった場合（ステップＳ１０５でＹｅｓと判断した場合）には、次に、カメラ部２５で撮影された顔画像の特徴量と内部メモリに保存した特定の人物の顔画像との特徴量を比較することによって、戻ってきた人物が最初の人物と同じ人物であるか否かを判断する（ステップＳ１０６）。ここで、同じ人物であると判断した場合（ステップＳ１０６でＹｅｓと判断した場合）のその後の処理は、実施例４のステップＳ１０７以降の処理と同じである。
【０１０１】
一方、ステップＳ１０６でＮｏと判断された場合、すなわち、戻ってきた人物が最初の人物と異なる場合には、制御部１８は、自動録画中であることを視聴者に通知し（ステップＳ１１０−１）、それまでの録画状態（すなわち、第１チューナ部１１１で受信している放送信号の録画状態）はそのまま継続する。この後、制御部１８は、出力切換部１１３を第２チューナ部１１２に切り替えるとともに、テレビの視聴が可能であることを、戻ってきた人物（最初の人物とは異なる人物）に通知する（ステップＳ１１０−２）。これにより、本発明に係る自動録画が実行されている場合であっても、最初の人物と異なる人物もテレビを視聴することが可能となる。また、最初の人物が目を覚ました場合でも、録画はそのまま継続されているので、以後、手動操作等により、最初の人物も見逃したシーンからの視聴が可能となる。
【図面の簡単な説明】
【０１０２】
【図１】本発明の実施形態１に係る放送信号受信システムの全体構成を示す機能ブロック図である。
【図２】実施例１の自動録画再生処理を示すフローチャートである。
【図３】実施例１の自動録画再生処理を示すフローチャートである。
【図４】実施例２の自動録画再生処理を示すフローチャートである。
【図５】実施例２の自動録画再生処理を示すフローチャートである。
【図６】実施例３の自動録画再生処理を示すフローチャートである。
【図７】実施例３の自動録画再生処理を示すフローチャートである。
【図８】実施例４の自動録画再生処理を示すフローチャートである。
【図９】実施例４の自動録画再生処理を示すフローチャートである。
【図１０】本発明の実施形態２に係る放送信号受信システムの全体構成を示す機能ブロック図である。
【図１１】実施例５の自動録画再生処理を示すフローチャートである。
【図１２】実施例６の自動録画再生処理を示すフローチャートである。
【図１３】実施例７の自動録画再生処理を示すフローチャートである。
【図１４】実施例８の自動録画再生処理を示すフローチャートである。
【符号の説明】
【０１０３】
１Ａ，１Ｂ  放送信号受信システム
１１  チューナ部
１２  映像デコーダ
１３  音声デコーダ
１４  ＯＳＤ回路
１５  ＴＶモニタ
１６  ＥＰＧデータ蓄積部
１８  制御部
１９  データ検索部
２１  キー入力部
２２  受信部
２３  リモコン
２５  カメラ部
２６  個人認証部
２８  時計部
２９  回マー回路部
４０  録画再生装置
１１１  第１チューナ部
１１２  第２チューナ部
１１３  出力切換部 
【図１】
2006211061.tif 000003
【図２】
2006211061.tif 000004
【図３】
2006211061.tif 000005
【図４】
2006211061.tif 000006
【図５】
2006211061.tif 000007
【図６】
2006211061.tif 000008
【図７】
2006211061.tif 000009
【図８】
2006211061.tif 000010
【図９】
2006211061.tif 000011
【図１０】
2006211061.tif 000012
【図１１】
2006211061.tif 000013
【図１２】
2006211061.tif 000014
【図１３】
2006211061.tif 000015
【図１４】
2006211061.tif 000016